(57)【特許請求の範囲】
【請求項１】
一以上の中継サーバの起動情報と、前記一以上の中継サーバに接続された複数のクライアント端末の起動情報および登録情報と、を有する中継サーバ情報が、前記一以上の中継サーバおよび前記複数のクライアント端末間で共有されて格納される中継サーバ情報格納部と、
前記複数のクライアント端末のいずれかに設定された共通記憶領域に関する情報と、前記共通記憶領域が設定されたクライアント端末の識別情報と、を有するリモートファイル制御情報が、前記中継サーバ情報に基づき、前記一以上の中継サーバおよび前記複数のクライアント端末間で共有されて格納されるリモートファイル制御情報格納部と、
前記複数のクライアント端末のうち、前記共通記憶領域が設定されたクライアント端末とは異なるクライアント端末から通信データを転送するためのデータ通信セッションを確立するデータ通信セッション確立部と、
前記共通記憶領域が設定されたクライアント端末と前記データ通信セッションにより前記通信データを転送するクライアント端末との間に、前記通信データを前記共通記憶領域に保存するためのリモートファイル制御セッションを確立するリモートファイル制御セッション確立部と、
前記中継サーバ情報及び前記リモートファイル制御情報に基づき、前記共通記憶領域の存在を確認し、前記共通記憶領域の存在を確認すると、前記通信データを転送するクライアント端末に対して、前記通信データを、存在が確認された前記共通記憶領域に保存する指示を行うデータ操作通知部と、
を備える中継サーバ。
【請求項２】
前記共通記憶領域が設定されたクライアント端末と前記通信データを転送するクライアント端末とは、同一の中継サーバに直接接続されている、請求項１に記載の中継サーバ。
【請求項３】
一以上の中継サーバと通信可能であり、
自身と前記通信可能な一以上の中継サーバとが中継グループを構成することを示す中継グループ情報が、前記中継グループ内の中継サーバ間で共有されて格納される中継グループ情報格納部を、さらに備え、
前記中継サーバ情報及び前記リモートファイル制御情報は、前記中継グループ内の中継サーバおよびクライアント端末間で共有されて格納され、
前記共通記憶領域が設定されたクライアント端末と前記通信データを転送するクライアント端末とは、前記中継グループ内の異なる中継サーバにそれぞれ直接接続されている、請求項１に記載の中継サーバ。
【請求項４】
前記データ操作通知部は、前記中継サーバ情報及び前記リモートファイル制御情報に基づき、前記通信データを転送するクライアント端末に対して、前記共通記憶領域内にファイルを作成する指示をさらに通知する、請求項１〜３のいずれかに記載の中継サーバ。
【請求項５】
前記データ操作通知部は、前記中継サーバ情報及び前記リモートファイル制御情報に基づき、前記通信データを転送するクライアント端末に対して、前記共通記憶領域内にあるファイルの操作指示をさらに通知する、請求項１〜４のいずれかに記載の中継サーバ。
【請求項６】
一以上の中継サーバと接続された複数のクライアント端末の一つとして機能するクライアント端末であって、
前記一以上の中継サーバの起動情報と、前記複数のクライアント端末の起動情報および登録情報と、を有する中継サーバ情報が、前記一以上の中継サーバおよび前記複数のクライアント端末の間で共有されて格納される中継サーバ情報格納部と、
前記複数のクライアント端末のうち自端末とは異なるクライアント端末に設定された共通記憶領域に関する情報と、前記共通記憶領域が設定されたクライアント端末の識別情報と、を有するリモートファイル制御情報が、前記中継サーバ情報に基づき、前記一以上の中継サーバおよび前記複数のクライアント端末の間で共有されて格納されるリモートファイル制御情報格納部と、
前記リモートファイル制御情報に基づき、自端末と前記共通記憶領域が設定されたクライアント端末との間に、データ通信セッションにより自端末から転送される通信データを前記共通記憶領域に保存するために確立されるリモートファイル制御セッションを介して、前記共通記憶領域内にファイルの作成を依頼するファイル作成指示部と、を備え、
前記ファイル作成指示部は、前記一以上の中継サーバの一つから、データを前記共通記憶領域へ保存する指示を受けると、前記中継サーバ情報及び前記リモートファイル制御情報に基づいて、前記共通記憶領域が設定されたクライアント端末を確認し、確認できたクライアント端末にファイルの作成の依頼を通知する、
クライアント端末。
【請求項７】
前記一以上の中継サーバのうち、前記共通記憶領域が設定されたクライアント端末が直接接続されている中継サーバと同一の中継サーバに直接接続されている、請求項６に記載のクライアント端末。
【請求項８】
前記一以上の中継サーバを含む複数の中継サーバが中継グループを構成することを示す中継グループ情報が、前記中継グループ内の複数の中継サーバおよび前記複数の中継サーバに接続された複数のクライアント端末間で共有されて格納される中継グループ情報格納部を、さらに備え、
前記中継サーバ情報及び前記リモートファイル制御情報を、前記中継グループ内の前記複数の中継サーバに接続されたクライアント端末と共有していて、
前記複数の中継サーバのうち、前記共通記憶領域が設定されたクライアント端末が直接接続された中継サーバとは異なる中継サーバに直接接続されている請求項６に記載のクライアント端末。
【請求項９】
前記共通記憶領域を有するクライアント端末に対して、前記リモートファイル制御セッションを介して、前記通信データを、前記ファイル作成指示部の依頼により作成されたファイルに保存する指示を行うデータ操作指示部をさらに備える、請求項６〜８のいずれかに記載のクライアント端末。
【請求項１０】
前記データ操作指示部は、前記共通記憶領域を有するクライアント端末に対して、前記リモートファイル制御セッションを介して、前記ファイルの操作の指示をさらに行う、請求項９に記載のクライアント端末。
【発明の詳細な説明】
【技術分野】
【０００１】
本発明は、中継通信システムに用いられる一以上の中継サーバおよび複数のクライアント端末に関する。
【背景技術】
【０００２】
従来、家庭あるいはオフィスなどに設置されている電子機器の監視および保守を、遠隔地から行う遠隔保守システムが実用化されている。遠隔保守システムの利用することで、保守業者のサービスマンは、電子機器の設置場所に出向くことなく、電子機器をリモートで操作して、電子機器の保守作業を行うことができる。このように、遠隔保守システムを利用すると、保守業者はコストを削減でき、電子機器のユーザは早期にトラブルを解決できるという利点を得られる。
【先行技術文献】
【特許文献】
【０００３】
【特許文献１】特開２００３−２２３５２１号公報
【発明の概要】
【発明が解決しようとする課題】
【０００４】
保守業者のサービスマンは、速やかにトラブルを解決するために、外出先から電子機器の保守作業を行うことがある。そこでサービスマンは、軽量で小型なノート型のパーソナルコンピュータを携帯し、保守要求に対応する。しかし、一般的に、携帯用のパーソナルコンピュータの記憶容量は小さい。従って、保守作業のために転送したデータを自身が携帯するパーソナルコンピュータに保存したくても、記憶容量が小さいために保存できないという問題が生じることがある。
【０００５】
本発明の目的は、自端末が有する記憶容量が小さい場合であっても、自端末から転送したデータを保存させることにある。
【課題を解決するための手段】
【０００６】
本発明の一見地に係る中継サーバは、中継サーバ情報格納部と、リモートファイル制御情報格納部と、データ通信セッション確立部と、リモートファイル制御セッション確立部と、を備える。中継サーバ情報格納部には、一以上の中継サーバの起動情報と、一以上の中継サーバに接続された複数のクライアント端末の起動情報および登録情報と、を有する中継サーバ情報が、一以上の中継サーバおよび複数のクライアント端末間で共有されて格納される。リモートファイル制御情報格納部には、複数のクライアント端末のいずれかに設定された共通記憶領域に関する情報と、共通記憶領域が設定されたクライアント端末の識別情報と、を有するリモートファイル制御情報が、中継サーバ情報に基づき、一以上の中継サーバおよび複数のクライアント端末間で共有されて格納される。データ通信セッション確立部は、複数のクライアント端末のうち、共通記憶領域が設定されたクライアント端末とは異なるクライアント端末から通信データを転送するためのデータ通信セッションを確立する。リモートファイル制御セッション確立部は、共通記憶領域が設定されたクライアント端末とデータ通信セッションにより通信データを転送するクライアント端末との間に、通信データを共通記憶領域に保存するためのリモートファイル制御セッションを確立する。
【０００７】
ここでは、一以上の中継サーバと一以上の中継サーバに接続された複数のクライアント端末とは、中継サーバ情報とリモートファイル制御情報を共有している。ここで複数のクライアント端末のそれぞれは、一以上の中継サーバのうちいずれか一つの中継サーバに接続されている。また、中継サーバに接続されたクライアント端末とは、中継サーバとの間で通信ができるように接続されているクライアント端末であればよい。よって、クライアント端末と中継サーバとの間に他の中継サーバが設置されていてもよく、他の中継サーバが設置されていなくてもよい。一方、クライアント端末と中継サーバとが直接接続されているとは、そのクライアント端末と中継サーバとの間には他の中継サーバが設置されていない場合をいう。
【０００８】
中継サーバは、共有された中継サーバ情報およびリモートファイル制御情報を参照することにより、どのクライアント端末が通信可能であり、どのクライアント端末に共通記憶領域が設定されているか確認することができる。その確認のもと、中継サーバは、複数のクライアント端末のうち、共通記憶領域が設定されたクライアント端末とは異なるクライアント端末から通信データを転送するためのデータ通信セッションを確立する。さらに、中継サーバは、共通記憶領域が設定されたクライアント端末と通信データを転送するクライアント端末との間に、通信データを共通記憶領域に保存するためのリモートファイル制御セッションを確立する。このような中継サーバでは、一以上の中継サーバと一以上の中継サーバに接続された複数のクライアント端末との間で、記憶領域を共有することができる。従って、クライアント端末から転送される通信データを、通信データを転送するクライアント端末とは異なるクライアント端末に設定された共通記憶領域に保存させることができるようになる。
【０００９】
共通記憶領域が設定されたクライアント端末と通信データを転送するクライアント端末とは、同一の中継サーバに直接接続されていてもよい。
【００１０】
中継サーバは、一以上の中継サーバと通信可能であり、自身と通信可能な一以上の中継サーバとが中継グループを構成することを示す中継グループ情報が、中継グループ内の中継サーバ間で共有されて格納される中継グループ情報格納部を、さらに備えていてもよい。ここで、中継サーバ情報及びリモートファイル制御情報は、中継グループ内の中継サーバおよびクライアント端末間で共有されて格納され、共通記憶領域が設定されたクライアント端末と通信データを転送するクライアント端末とは、中継グループ内の異なる中継サーバにそれぞれ直接接続されていてもよい。
【００１１】
中継サーバは、中継サーバ情報及びリモートファイル制御情報に基づき、通信データを転送するクライアント端末に対して、通信データを共通記憶領域に保存する指示を行うデータ操作通知部をさらに備えていてもよい。
【００１２】
データ操作通知部は、中継サーバ情報及びリモートファイル制御情報に基づき、通信データを転送するクライアント端末に対して、共通記憶領域内にファイルを作成する指示をさらに通知してもよい。
【００１３】
データ操作通知部は、中継サーバ情報及びリモートファイル制御情報に基づき、通信データを転送するクライアント端末に対して、共通記憶領域内にあるファイルの操作指示をさらに通知してもよい。
【００１４】
本発明の他の見地に係るクライアント端末は、一以上の中継サーバと接続された複数のクライアント端末の一つとして機能するクライアント端末であって、中継サーバ情報格納部と、リモートファイル制御情報格納部と、ファイル作成指示部と、を備える。中継サーバ情報格納部には、一以上の中継サーバの起動情報と、複数のクライアント端末の起動情報および登録情報と、を有する中継サーバ情報が、一以上の中継サーバおよび複数のクライアント端末の間で共有されて格納されている。リモートファイル制御情報格納部には、複数のクライアント端末のうち自端末とは異なるクライアント端末に設定された共通記憶領域に関する情報と、共通記憶領域が設定されたクライアント端末の識別情報と、を有するリモートファイル制御情報が、中継サーバ情報に基づき、一以上の中継サーバおよび複数のクライアント端末の間で共有されて格納されている。ファイル作成指示部は、リモートファイル制御情報に基づき、自端末と共通記憶領域が設定されたクライアント端末との間に、データ通信セッションにより自端末から転送される通信データを共通記憶領域に保存するために確立されるリモートファイル制御セッションを介して、共通記憶領域内にファイルの作成を依頼する。
【００１５】
クライアント端末は、一以上の中継サーバのうち、共通記憶領域が設定されたクライアント端末が直接接続されている中継サーバと同一の中継サーバに直接接続されていてもよい。
【００１６】
クライアント端末は、一以上の中継サーバを含む複数の中継サーバが中継グループを構成することを示す中継グループ情報が、中継グループ内の複数の中継サーバおよび複数の中継サーバに接続された複数のクライアント端末間で共有されて格納される中継グループ情報格納部を、さらに備えていてもよい。ここで、クライアント端末は、中継サーバ情報及びリモートファイル制御情報を、中継グループ内の複数の中継サーバに接続されたクライアント端末と共有していて、複数の中継サーバのうち、共通記憶領域が設定されたクライアント端末が直接接続された中継サーバとは異なる中継サーバに直接接続されていてもよい。
【００１７】
クライアント端末は、共通記憶領域を有するクライアント端末に対して、リモートファイル制御セッションを介して、通信データを、ファイル作成指示部の依頼により作成されたファイルに保存する指示を行うデータ操作指示部をさらに備えていてもよい。
【００１８】
データ操作指示部は、共通記憶領域を有するクライアント端末に対して、リモートファイル制御セッションを介して、ファイルの操作の指示をさらに行ってもよい。
【００１９】
本発明の他の見地に係るクライアント端末は、一以上の中継サーバと接続された複数のクライアント端末の一つとして機能するクライアント端末であって、中継サーバ情報格納部と、リモートファイル制御情報格納部と、ファイル作成部と、を備える。中継サーバ情報格納部には、一以上の中継サーバの起動情報と、複数のクライアント端末の起動情報および登録情報と、を有する中継サーバ情報が、一以上の中継サーバおよび複数のクライアント端末の間で共有されて格納されている。リモートファイル制御情報格納部には、自端末に設定された共通記憶領域に関する情報と、自端末の識別情報と、を有するリモートファイル制御情報が、中継サーバ情報に基づき、一以上の中継サーバおよび複数のクライアント端末の間で共有されて格納されている。ファイル作成部は、リモートファイル制御情報に基づき、自端末と複数のクライアント端末のうちデータ通信セッションにより通信データを転送するクライアント端末との間に、通信データを共通記憶領域に保存するために確立されるリモートファイル制御セッションを介してファイル作成の依頼を受けると、共通記憶領域にファイルを作成する。
【００２０】
クライアント端末は、一以上の中継サーバのうち、通信データを転送するクライアント端末が直接接続されている中継サーバと同一の中継サーバに直接接続されていてもよい。
【００２１】
クライアント端末は、一以上の中継サーバを含む複数の中継サーバが中継グループを構成することを示す中継グループ情報が、中継グループ内の複数の中継サーバおよび複数の中継サーバに接続された複数のクライアント端末間で共有されて格納される中継グループ情報格納部を、さらに備えていてもよい。ここで、クライアント端末は、中継サーバ情報及びリモートファイル制御情報を、中継グループ内の複数の中継サーバに接続されたクライアント端末と共有していて、複数の中継サーバのうち、通信データを転送するクライアント端末が直接接続された中継サーバとは異なる中継サーバに直接接続されていてもよい。
【００２２】
クライアント端末は、通信データの転送を行うクライアント端末から、リモートファイル制御セッションを介して、通信データを保存する指示を受けると、作成されたファイルに通信データを保存するデータ操作部をさらに備えていてもよい。
【００２３】
データ操作部は、リモートファイル制御セッションを介して、共通記憶領域内のファイルの操作の指示を受けると、共通記憶領域内のファイルの操作をさらに行ってもよい。
【発明の効果】
【００２４】
以上のような本発明では、一以上の中継サーバと一以上の中継サーバに接続された複数のクライアント端末との間で記憶領域を共有することができる。従って、転送データを共有する記憶領域に保存させることができるようになる。
【図面の簡単な説明】
【００２５】
【図１】第１実施形態における中継通信システムの全体構成を示す模式図である。
【図２】第１中継サーバの構成要素を示すブロック図である。
【図３】第１クライアント端末の構成要素を示すブロック図である。
【図４】中継グループ情報の概略構成を示す図である。
【図５】中継グループ情報の詳細構成を示す図である。
【図６】中継サーバ情報の概略構成を示す図である。
【図７】中継サーバ情報の詳細構成を示す図である。
【図８】第１中継サーバに格納されたクライアント端末情報である。
【図９】第２中継サーバに格納されたクライアント端末情報である。
【図１０】第３中継サーバに格納されたクライアント端末情報である。
【図１１】リモートファイル制御情報の詳細構成を示す図である。
【図１２】中継グループの構築に関わる処理の流れを示す図である。
【図１３】交換前の中継サーバ情報の詳細構成を示す図である。
【図１４】交換前の中継サーバ情報の詳細構成を示す図である。
【図１５】交換前の中継サーバ情報の詳細構成を示す図である。
【図１６】中継グループ情報および中継サーバ情報の共有に関わる処理の流れを示す図である。
【図１７】第１実施例におけるリモートファイル制御情報の共有及びデータ保存処理の流れを示す図である。
【図１８】第２実施例におけるリモートファイル制御情報の共有及びデータ保存処理の流れを示す図である。
【図１９】第２実施形態における中継通信システムの全体構成を示す模式図である。
【図２０】第２実施形態におけるリモートファイル制御情報の共有及びデータ保存処理の流れを示す図である。
【発明を実施するための形態】
【００２６】
１．第１実施形態
１．１  中継通信システムの全体構成
以下、図面を参照しつつ、本発明の実施の形態について説明する。図１は、中継通信システムの全体構成を示す。中継通信システムは、第１ＬＡＮ１と、第２ＬＡＮ２と、第３ＬＡＮ３と、ＷＡＮ４とから構成される。第１ＬＡＮ１、第２ＬＡＮ２、第３ＬＡＮ３は、遠隔に構築される小規模なネットワークである。ＷＡＮ４は、インターネットなどの大規模なネットワークである。
【００２７】
この実施形態では、後に詳細に説明するが、第１ＬＡＮ１の第１中継サーバＡと、第２ＬＡＮ２の第２中継サーバＢと、第３ＬＡＮ３の第３中継サーバＣとが、第１中継グループを構成している。
【００２８】
第１ＬＡＮ１は、第４ＬＡＮ６と、第５ＬＡＮ７とを有しており、両者は、第１汎用ルータ８により接続されている。第４ＬＡＮ６では、第１中継サーバＡと、第１クライアント端末Ａ１と、第１通信機器９とが互いに接続されている。第５ＬＡＮ７では、第２クライアント端末Ａ２と、第２通信機器１０と、第３通信機器１１とが互いに接続されている。
【００２９】
第２ＬＡＮ２では、第２中継サーバＢと、第３クライアント端末Ｂ１と、第４通信機器１４とが互いに接続されている。
【００３０】
第３ＬＡＮ３は、第６ＬＡＮ１６と、第７ＬＡＮ１７と、第８ＬＡＮ１８とを有しており、第６ＬＡＮ１６と第７ＬＡＮ１７は第２汎用ルータ１９により接続されており、第６ＬＡＮ１６と第８ＬＡＮ１８は第３汎用ルータ２１により接続されている。第６ＬＡＮ１６には第３中継サーバＣが所属している。第７ＬＡＮ１７では、第４クライアント端末Ｃ１と、第５通信機器２２とが互いに接続されている。第８ＬＡＮ１８では、第５クライアント端末Ｃ２と、第６通信機器２３とが互いに接続されている。
【００３１】
第１クライアント端末Ａ１、第２クライアント端末Ａ２、第３クライアント端末Ｂ１、第４クライアント端末Ｃ１、第５クライアント端末Ｃ２は、例えば、パーソナルコンピュータ等のコンピュータにＯＳ（オペレーションシステム）、ブラウザなどが組み込まれたものである。第１通信機器９、第２通信機器１０、第３通信機器１１、第４通信機器１４、第５通信機器２２、第６通信機器２３も、例えば、パーソナルコンピュータである。
【００３２】
第１中継サーバＡ、第２中継サーバＢ、第３中継サーバＣは、第１クライアント端末Ａ１、第２クライアント端末Ａ２、第３クライアント端末Ｂ１、第４クライアント端末Ｃ１、第５クライアント端末Ｃ２の相互間の通信を中継する。ＷＡＮ４は、第１中継サーバＡ、第２中継サーバＢ、第３中継サーバＣの相互間の通信を中継する。
【００３３】
なお、第１中継サーバＡ、第２中継サーバＢ、および第３中継サーバＣの相互間の通信プロトコルとして、例えばＳＩＰが利用される。しかし、これには限定されず、他のプロトコルが利用されてもよい。
【００３４】
１．２  中継サーバの構成要素
中継サーバは、ＬＡＮだけでなくＷＡＮにも接続されており、同一のＬＡＮに接続されている各クライアント端末と通信可能であるとともに、他のＬＡＮに配置された中継サーバと通信可能になっている。そのため、各中継サーバには、プライベートＩＰアドレスに加えて、グローバルＩＰアドレスが付与されている。
【００３５】
図２は、第１中継サーバＡの構成要素を示す。なお、第２中継サーバＢおよび第３中継サーバＣの構成要素は、第１中継サーバＡと同様であるので説明を省略する。
【００３６】
第１中継サーバＡは、インターフェース１２１と、制御部１２２と、データベース格納部１２７と、を有している。
【００３７】
インターフェース１２１は、プライベートＩＰアドレスを利用して、第１ＬＡＮ１内の端末に対して通信を実行する。インターフェース１２１は、グローバルＩＰアドレスを利用して、ＷＡＮ４に対して通信を実行する。
【００３８】
制御部１２２は、例えば、制御および演算の機能を有するＣＰＵであり、ロードされたプログラムにより各種処理を実行可能である。制御部１２２は、インターフェース１２１を介して行う様々な通信を制御する。また、制御部１２２は、データベース格納部１２７に格納される情報を、作成、更新または格納する。
【００３９】
本実施形態において、制御部１２２は、リモートファイル制御情報制御部１２３と、データ通信セッション確立部１２４と、リモートファイル制御セッション確立部１２５と、データ操作通知部１２６と、を含む。
【００４０】
リモートファイル制御情報制御部１２３は、データベース格納部１２７に格納されるリモートファイル制御情報を更新または格納する。さらにリモートファイル制御情報制御部１２３は、後述する中継サーバ情報を参照して、リモートファイル制御情報を他の中継サーバおよび／またはクライアント端末に通知する。
リモートファイル制御情報とは、クライアント端末間で転送された通信データが保存される共通記憶領域の仮想的な名称と、共通記憶領域が設定された、つまり共通記憶領域を操作可能なクライアント端末の詳細と、を示す情報である。リモートファイル制御情報の詳細は、後述する。
【００４１】
データ通信セッション確立部１２４は、中継サーバ情報を参照し、クライアント端末間で通信データを転送するための通信セッションを、他の中継サーバとの間に確立する。  リモートファイル制御セッション確立部１２５は、中継サーバ情報を参照し、クライアント端末間で転送された通信データを、共通記憶領域に保存するためのリモートファイル制御セッションを、共通記憶領域を操作可能なクライアント端末に接続された中継サーバとの間に確立する。
【００４２】
データ操作通知部１２６は、中継サーバ情報及びリモートファイル制御情報を参照し、クライアント端末に対して、そのクライアント端末から転送される通信データを、リモートファイル制御情報で示される共通記憶領域に保存する指示を行う。データ操作通知部１２６は、同一ＬＡＮ内に接続されているクライアント端末に対してデータを保存する指示を行うこともできるし、他のＬＡＮに接続されたクライアント端末に対してデータを保存する指示を行うことができる。  なお、制御部１２２を中心とした中継サーバの各機能については後述する。
【００４３】
データベース格納部１２７は、例えば、ハードディスクまたは不揮発ＲＡＭであり、各種データを保存可能である。データベース格納部１２７は、中継グループ情報格納部１２８と、中継サーバ情報格納部１２９と、クライアント端末情報格納部１３０と、リモートファイル制御情報格納部１３１と、を有している。これら情報の具体例は後述する。
【００４４】
１．３  クライアント端末の構成要素
クライアント端末は、ユーザが直接操作できる端末である。クライアント端末は、例えば、ユーザによって日々の業務に利用されるパーソナルコンピュータである。クライアント端末には、同一のＬＡＮ内でユニークに管理されたプライベートＩＰアドレスが付与される。
【００４５】
図３は、第１クライアント端末の構成要素を示す。以下、第１クライアント端末Ａ１について説明する。なお、第２クライアント端末Ａ２、第３クライアント端末Ｂ１、第４クライアント端末Ｃ１、および第５クライアント端末Ｃ２の構成要素は、第１クライアント端末Ａ１と同様であるので説明を省略する。
【００４６】
第１クライアント端末Ａ１は、インターフェース２２１と、制御部２２２と、データベース格納部２２９と、通信データ格納部２３３と、を有している。
【００４７】
インターフェース２２１は、プライベートＩＰアドレスを利用して、第１ＬＡＮ１に接続される第１中継サーバＡに対して通信を実行する。
【００４８】
制御部２２２は、例えば、制御および演算の機能を有するＣＰＵであり、ロードされたプログラムにより各種処理を実行可能である。制御部２２２は、インターフェース２２１を介して行う様々な通信を制御する。制御部２２２は、データベース格納部２２９および通信データ格納部２３３に格納される情報を、作成、更新または格納する。
【００４９】
本実施形態の制御部２２２は、リモートファイル制御情報作成部２２３と、リモートファイル制御情報制御部２２４と、ファイル作成指示部２２５と、ファイル作成部２２６と、データ操作指示部２２７と、データ操作部２２８と、を含む。
【００５０】
リモートファイル制御情報作成部２２３は、クライアント端末のユーザの操作に基づいて、リモートファイル制御情報を作成する。なお、例えば第１クライアント端末Ａ１のリモートファイル制御情報作成部２２３がリモートファイル制御情報を作成した場合、共通記憶領域を操作可能なクライアント端末として、第１クライアント端末Ａ１の識別情報がリモートファイル制御情報に設定される。すなわち、リモートファイル制御情報を作成するということは、自端末が直接アクセス可能な共通記憶領域があり、自端末がその共通記憶領域を操作できるオーナークライアント端末であるということを宣言することになる。
【００５１】
リモートファイル制御情報制御部２２４は、データベース格納部２２９に格納されるリモートファイル制御情報を更新または格納する。
【００５２】
ファイル作成指示部２２５は、中継サーバのデータ操作通知部１２６より、自端末が転送する通信データを保存する旨の指示または共通記憶領域内にファイルを作成する指示を受けた場合に、リモートファイル制御情報を参照し、共通記憶領域を操作可能なクライアント端末に対して、共通記憶領域内にファイルを作成する依頼を通知する。
【００５３】
ファイル作成部２２６は、ファイル作成指示部２２５からファイル作成の依頼を受けた場合に、自端末のＯＳ（オペレーションシステム）を用いて、共通記憶領域内にファイルを作成する。なお、ここで作成されるファイルとは、リモートファイル制御情報内の仮想的な名称が表す共通記憶領域内にある実在のファイルのことである。
【００５４】
データ操作指示部２２７は、ファイル作成部２２６によって作成されたファイル中に、通信データを保存する指示を行う。具体的には、データ操作指示部２２７は、共通記憶領域を操作可能なクライアント端末に対して、通信データとともにｗｒｉｔｅｆｉｌｅコマンドを通知する。なお、データ操作指示部２２７は、共通記憶領域内におけるファイルの操作指示を行こともできる。具体的には、データ操作指示部２２７は、共通記憶領域内にあるファイルの開封指示、および／またはファイルの編集指示等を行うことができる。
【００５５】
データ操作部２２８は、データ書き込み指示部２２７の指示に基づき、受け取った通信データをファイル作成部２２６によって作成されたファイルの中に保存する。さらに、データ操作部２２８は、データ操作指示部２２７の指示に基づき、作成されたファイルの開封および／または編集等のファイル操作をすることもできる。
【００５６】
制御部２２２を中心としたクライアント端末の各機能については、後述する。なお、データ保存の指示を受け、通信データを他のクライアント端末に転送するクライアント端末では、リモートファイル制御情報制御部２２４、ファイル作成指示部２２５、およびデータ操作指示部２２７が機能する。一方、共通記憶領域が設定され、その共通記憶領域を操作可能なクライアント端末では、リモートファイル制御情報制御部２２４、ファイル作成部２２６、およびデータ操作部２２８が機能する。
【００５７】
データベース格納部２２９は、例えば、ハードディスクまたは不揮発ＲＡＭであり、各種データを保存可能である。データベース格納部２２９は、中継グループ情報格納部２３０と、中継サーバ情報格納部２３１とリモートファイル制御情報格納部２３２と、を有している。以上の情報の具体例については後述する。
【００５８】
通信データ格納部２３３は、クライアント間で転送された通信データが保存される共通記憶領域である。通信データ格納部２３３は、ハードディスクであって、クライアント端末のローカルディスク内にあっても、外付けドライブ内にあってもよい。上述のとおり、ファイル作成部２２６によって、通信データ格納部２３３内の共通記憶領域内にファイルが作成され、データ操作部２２８によって、保存された通信データがそのファイル内に書き込まれる。
【００５９】
１．４  中継グループ情報の具体例
図４は、中継グループ情報２０の概略構成を示す。中継グループ情報は、中継通信システムにおける各中継グループの概要を示す情報である。図４は、第１中継グループが、第１中継サーバＡと、第２中継サーバＢと、第３中継サーバＣとから構成されていることを示す。
【００６０】
図５は、中継グループ情報２０の詳細構成を示す。中継グループ情報２０は、上位情報２０１、下位情報２０２から構成される。
【００６１】
上位情報２０１は、第１中継グループ自体についての情報である。「ｇｒｏｕｐ  ｉｄ」は、中継グループの識別情報を示す。「ｌａｓｔｍｏｄ」は、中継グループ情報の最新更新時刻を示す。「ｎａｍｅ」は、中継グループの名称を示す。
下位情報２０２は、第１中継サーバＡ、第２中継サーバＢ、第３中継サーバＣについての情報である。「ｓｉｔｅ  ｉｄ」は、中継サーバの識別情報を示す。
【００６２】
中継グループ情報２０は、同一の中継グループ内における中継サーバの中継グループ情報格納部１２８に格納される。すなわち、中継グループ情報２０は、第１中継サーバＡと、第２中継サーバＢと、第３中継サーバＣとの間で共有される。さらに、中継グループ情報２０は、同一の中継グループ内におけるクライアント端末の中継グループ情報格納部２３０に格納される。その結果、中継グループ情報２０は、同一の中継グループ内における中継サーバとクライアント端末との間でも共有される。
【００６３】
１．５．中継サーバ情報の具体例
図６は、中継サーバ情報３０の概略構成を示す。中継サーバ情報は、中継通信システムを構成する中継サーバおよびクライアント端末の概要を示す情報である。
【００６４】
図６に示すように、第１中継サーバＡには、第１クライアント端末Ａ１および第２クライアント端末Ａ２が接続されている。第２中継サーバＢには、第３クライアント端末Ｂ１が接続されている。第３中継サーバＣには、第４クライアント端末Ｃ１および第５クライアント端末Ｃ２が接続されている。
【００６５】
図７は、中継サーバ情報３０の詳細構成を示す。中継サーバ情報３０は、上位情報３０１−１、３０１−２、３０１−３、下位情報３０２−１、３０２−２、３０２−３から構成される。
【００６６】
上位情報３０１−１、３０１−２、３０１−３は、中継サーバについての情報である。「ｓｉｔｅ  ｉｄ」は、中継サーバの識別情報を示す。「ｎａｍｅ」は、中継サーバの名称を示す。「ｓｔａｔ」は、中継サーバが起動しているか否かについての情報を示す。
下位情報３０２−１、３０２−２、３０２−３は、クライアント端末についての情報である。「ｄｉｖ」は、クライアント端末の部署名を示す。「ｇｒｏｕｐ」は、クライアント端末が所属する中継グループの識別情報を示す。「ｉｄ」は、クライアント端末の識別情報を示す。「ｎａｍｅ」は、クライアント端末の名称を示す。「ｓｉｔｅ」は、クライアント端末がログオンしている場合にログオン先の中継サーバの識別情報を示す。
【００６７】
中継サーバ情報３０は、同一の中継グループ内における中継サーバの中継サーバ情報格納部１２９において格納される。すなわち、中継サーバ情報３０は、第１中継サーバＡ、第２中継サーバＢおよび第３中継サーバＣ間で共有される。さらに、中継サーバ情報３０は、同一の中継グループ内におけるクライアント端末の中継サーバ情報格納部２３１に格納される。その結果、中継サーバ情報３０は、中継サーバおよびクライアント端末間で共有される。
【００６８】
中継サーバが起動しているときには、上位情報３０１−１、３０１−２、３０１−３の「ｓｔａｔ」が「ａｃｔｉｖｅ」になっている。中継サーバが起動していないときには、「ｓｔａｔ」が空欄になっている。これにより、中継サーバが起動しているか否かについての情報が、中継通信システム全体として共有される。
【００６９】
クライアント端末が中継サーバにログオンしているときには、下位情報３０２−１、３０２−２、３０２−３の「ｓｉｔｅ」にクライアント端末のログオン先の中継サーバの識別情報が記載されている。クライアント端末が中継サーバにログオンしていないときには、「ｓｉｔｅ」は空欄になっている。これにより、クライアント端末が中継サーバにログオンしているか否かについての情報が、中継通信システム全体として共有される。
【００７０】
１．６  クライアント端末情報の具体例
図８、図９および図１０は、クライアント端末情報の具体例として、クライアント端末情報４０、５０、６０をそれぞれ示す。クライアント端末情報は、中継通信システムを構成するクライアント端末の詳細を示す情報である。
【００７１】
「ａｄｄｒ」は、クライアント端末アドレス情報であり、具体的にはクライアント端末のＩＰアドレスを示す。「ｄｉｖ」は、クライアント端末の部署名を示す。「ｅｘｐｒ」は、クライアント端末有効期限情報であり、具体的にはクライアント端末のレジスト有効期限を示す。「ｇｒｏｕｐ」は、クライアント端末が所属する中継グループの識別情報を示す。「ｉｄ」は、クライアント端末の識別情報を示す。「ｎａｍｅ」は、クライアント端末の名称を示す。「ｐａｓｓ」は、クライアント端末のパスワードを示す。「ｐｏｒｔ」は、クライアント端末ポート情報であり、具体的にはクライアント端末のポート番号を示す。
【００７２】
クライアント端末情報４０は、第１中継サーバＡのクライアント端末情報格納部１３０において格納される。クライアント端末情報５０は、第２中継サーバＢのクライアント端末情報格納部１３０において格納される。クライアント端末情報６０は、第３中継サーバＣのクライアント端末情報格納部１３０において格納される。
【００７３】
１．７  リモートファイル制御情報の具体例
リモートファイル制御情報７０は、クライアント端末間で転送された通信データが保存される共通記憶領域の仮想的な名称と、共通記憶領域を操作可能なクライアント端末の詳細を示す情報である。
【００７４】
図１１は、リモートファイル制御情報の詳細構成を示す図である。リモートファイル制御情報７０は、「ＯＷＮＥＲ」情報と、「ＰＡＴＨ」情報と、「ＩＤ」情報と、を含む。
【００７５】
「ＯＷＮＥＲ」情報は、通信データが保存される共通記憶領域を直接操作することができるクライアント端末を示す。ここでは、「ＯＷＮＥＲ」は、第１クライアント端末Ａ１である。
【００７６】
「ＰＡＴＨ」は、共通記憶領域を示す仮想的な名称を示す。ここでは、「ＰＡＴＨ」は、「ｆｏｌｄｅｒＡ」である。この「ｆｏｌｄｅｒＡ」とは、共通記憶領域を他の中継サーバおよびクライアント端末に対して知らせる際に用いられる仮想的なフォルダ名であり、実在する格納場所を反映するものではない。なお、本実施例においては、実在の格納場所は、クライアント端末に設けられた通信データ格納部２３３中のファイルであるとする。しかし、実在の格納場所は、クライアント端末が直接アクセスでき操作できる記憶領域であれば、自端末に設けられた通信データ格納部には限定されない。
「ＩＤ」は、共通記憶領域を特定する識別情報を示す。
【００７７】
リモートファイル制御情報７０は、同一の中継グループ内における中継サーバのリモートファイル制御情報格納部１３１に格納される。すなわち、リモートファイル制御情報７０は、第１中継サーバＡと、第２中継サーバＢと、第３中継サーバＣとの間で共有される。さらに、リモートファイル制御情報７０は、同一の中継グループ内におけるクライアント端末のリモートファイル制御情報格納部２３２に格納される。その結果、リモートファイル制御情報７０は、中継サーバおよびクライアント端末間で共有される。
【００７８】
１．８  初期設定
図１２のシーケンス図を用いて、第１中継グループの初期設定について説明する。具体的には、図１２は、中継グループ情報、中継サーバ情報、クライアント端末情報の作成に関連する処理の流れを示す。以下、第１中継サーバＡの制御部を制御部１２２Ａ、第２中継サーバＢの制御部を制御部１２２Ｂ、第３中継サーバＣの制御部を制御部１２２Ｃとして説明する。また、以下、図２および図３中の他部についても、それが属する中継サーバまたはクライアント端末に応じて、符号の末尾にそれぞれＡ、Ｂ、Ｃ、Ａ１、Ｂ１、Ｃ１、Ｃ２を付して説明する。
【００７９】
１．８−１  アカウントの作成
第１中継サーバＡの管理者は、第１クライアント端末Ａ１および第２クライアント端末Ａ２のユーザに対して、アカウントを作成する（ステップＳ１、ステップＳ２：Ｃｒｅａｔｅ＿Ａｃｃｏｕｎｔ（））。第２中継サーバＢの管理者は、第３クライアント端末Ｂ１のユーザに対して、アカウントを作成する（ステップＳ３：Ｃｒｅａｔｅ＿Ａｃｃｏｕｎｔ（））。第３中継サーバＣの管理者は、第４クライアント端末Ｃ１および第５クライアント端末Ｃ２のユーザに対して、アカウントを作成する（ステップＳ４、ステップＳ５：Ｃｒｅａｔｅ＿Ａｃｃｏｕｎｔ（））。
【００８０】
以上の処理において、第１中継サーバＡの制御部１２２Ａは、中継サーバ情報を作成し、中継サーバ情報格納部１２９Ａに格納する。第２中継サーバＢの制御部１２２Ｂおよび第３中継サーバＣの制御部１２２Ｃは、第１中継サーバＡと同様に、それぞれ中継サーバ情報を作成し、中継サーバ情報格納部１２９Ｂ、１２９Ｃに格納する。
【００８１】
また、第１中継サーバＡの制御部１２２Ａは、クライアント端末情報を作成して、クライアント端末情報格納部１３０Ａに格納する。第２中継サーバＢの制御部１２２Ｂおよび第３中継サーバＣの制御部１２２Ｃは、第１中継サーバＡと同様に、それぞれクライアント端末情報を作成して、クライアント端末情報格納部１３０Ｂ、１３０Ｃに格納する。
【００８２】
図１３、図１４および図１５は、中継サーバ情報３１−１、中継サーバ情報３１−２、中継サーバ情報３１−３を示す。中継サーバ情報３１−１は、第１中継サーバＡの制御部１２２Ａが作成し保存する情報である。中継サーバ情報３１−２は、第２中継サーバＢの制御部１２２Ｂが作成し保存する情報である。中継サーバ情報３１−３は、第３中継サーバＣの制御部１２２Ｃが作成し保存する情報である。
【００８３】
図１３において、上位情報３１１−１は、第１中継サーバＡについての情報である。「ｓｉｔｅ  ｉｄ」として、「ｓｅｒｖｅｒＡ＠ｒｅｌａｙ．ｎｅｔ」が設定されている。「ｎａｍｅ」として、「ＳｅｒｖｅｒＡ」が設定されている。「ｓｔａｔ」として、「ａｃｔｉｖｅ」が設定されている。
下位情報３１２−１は、第１クライアント端末Ａ１および第２クライアント端末Ａ２についての情報である。
【００８４】
第１クライアント端末Ａ１についての情報は、以下の通りである。「ｄｉｖ」として、「ｄｅｖ」が設定されている。「ｇｒｏｕｐ」として、「２００７０４０２１３３１００＠ｓｅｒｖｅｒＡ．ｒｅｌａｙ．ｎｅｔ」が設定されている。「ｉｄ」として、「ｃｌｉｅｎｔＡ１＠ＳｅｒｖｅｒＡ．ｒｅｌａｙ．ｎｅｔ」が設定されている。「ｎａｍｅ」として、「ｃｌｉｅｎｔＡ１」が設定されている。なお、図１３において「ｓｉｔｅ」は、「ｓｅｒｖｅｒＡ．ｒｅｌａｙ．ｎｅｔ」が設定されており、第１クライアント端末Ａ１のユーザは第１中継サーバＡにログオンしていることになっているが、実際は図１２のステップＳ１〜Ｓ６の段階では「ｓｉｔｅ」は空欄になっている。
【００８５】
第２クライアント端末Ａ２についての情報は、以下の通りである。「ｄｉｖ」として、「ｄｅｖ」が設定されている。「ｇｒｏｕｐ」として、「２００７０４０２１３３１００＠ｓｅｒｖｅｒＡ．ｒｅｌａｙ．ｎｅｔ」が設定されている。「ｉｄ」として、「ｃｌｉｅｎｔＡ２＠ｓｅｒｖｅｒＡ．ｒｅｌａｙ．ｎｅｔ」が設定されている。「ｎａｍｅ」として、「ｃｌｉｅｎｔＡ２」が設定されている。なお、「ｓｉｔｅ」の表記は、第１クライアント端末Ａ１の場合と同様である。
【００８６】
中継サーバ情報３１−２および中継サーバ情報３１−３の内容は、中継サーバ情報３１１の内容と同様であるので、説明を省略する。
【００８７】
１．８−２  中継グループ情報の作成
図１２において、第１中継サーバＡは、第２中継サーバＢに対して、中継通信システムのグループ構築を要求する（ステップＳ６：Ｓｅｔ＿Ｇｒｏｕｐ（））。第１中継サーバＡの制御部１２２Ａは、中継グループ情報を作成して中継グループ情報格納部１２８Ａに格納する。また、第２中継サーバＢの制御部１２２Ｂは、中継グループ情報を作成して中継グループ情報格納部１２８Ｂに格納する。次に、第１中継サーバＡは、第２中継サーバＢに対して中継サーバ情報の交換を要求する（ステップＳ７：Ｅｘｃｈａｎｇｅ（ｄｂ））。これにより、第１中継サーバＡは第２中継サーバＢに対して中継サーバ情報を送信し、第２中継サーバＢは第１中継サーバＡに対して中継サーバ情報を送信する。第１中継サーバＡの制御部１２２Ａおよび第２中継サーバＢの制御部１２２Ｂは、中継サーバ情報を合成して新たな中継サーバ情報を作成し、それをそれぞれ中継サーバ情報格納部１２９Ａ、１２９Ｂに格納する。なお、図示していないが、ステップＳ６およびステップＳ７と同様の処理は、第１中継サーバＡと第３中継サーバＣとの間でも実行され、さらに、第２中継サーバＢと第３中継サーバＣとの間でも実行される。その結果、第１中継サーバＡ、第２中継サーバＢ、および第３中継サーバＣの間で共通の中継サーバ情報が保有される。
【００８８】
１．８−３  ログオン動作時における中継サーバ情報の更新
第２クライアント端末Ａ２のユーザは、第２クライアント端末Ａ２の識別情報とパスワードを入力して、第１中継サーバＡにログオンする（ステップＳ８：Ｒｅｇｉｓｔｅｒ）。第１中継サーバＡの制御部１２２Ａは、クライアント端末情報を参照して、第２クライアント端末Ａ２のユーザ認証を行う。制御部１２２Ａは、クライアント端末情報を更新する。
【００８９】
続いて、第２クライアント端末Ａ２は、第１中継サーバＡに対して、中継グループ情報および中継サーバ情報の提供を要求する（ステップＳ９：Ｇｅｔ（））。第１中継サーバＡは、第２クライアント端末Ａ２に対して、中継グループ情報および中継サーバ情報を送信する。第２クライアント端末Ａ２の制御部２２２Ａ２は、中継グループ情報および中継サーバ情報を格納する。
【００９０】
第１中継サーバＡの制御部１２２Ａは、中継サーバ情報を参照し、第２中継サーバＢに関する「ｓｔａｔ」が「ａｃｔｉｖｅ」になっていることを確認した場合、中継サーバ情報が更新されたことを第２中継サーバＢに通知すべきと判断する。そこで、第１中継サーバＡは、第２中継サーバＢに対して、中継サーバ情報が更新されたことを通知する（ステップＳ１０：Ｎｏｔｉｆｙ（））。第２中継サーバＢの制御部１２２Ｂは、中継サーバ情報を更新し、それを中継サーバ情報格納部１２９Ｂに格納する。なお、第１中継サーバＡは、中継サーバ情報が更新されたことを、第３中継サーバＣにも通知する（ステップＳ１１：Ｎｏｔｉｆｙ（））。
【００９１】
第１クライアント端末Ａ１、第３クライアント端末Ｂ１、第４クライアント端末Ｃ１、第５クライアント端末Ｃ２のユーザが各中継サーバにログオンすれば、同様にして中継サーバにおける中継サーバ情報が更新される。また、同様にして、各クライアント端末のユーザがログオフした場合にも中継サーバにおける中継サーバ情報が更新される。
【００９２】
１．９  各情報の共有
１．９−１  中継グループ情報の共有
まず、中継グループの情報が変更された場合の共有処理について説明する。
【００９３】
図１６は、中継グループ情報および中継サーバ情報の共有に関わる処理の流れを示す図である。図１６において、第１中継グループに変更が生じると、例えば、第１中継サーバＡは、第２中継サーバＢに対して、変更された中継グループ情報を送信する（ステップＳ２１：Ｓｅｔ＿Ｇｒｏｕｐ（中継グループ情報））。すると、第２中継サーバＢは、第３クライアント端末Ｂ１に中継グループ情報を送信する（ステップＳ２１．１：Ｓｅｔ＿Ｇｒｏｕｐ（中継グループ情報））。第３クライアント端末Ｂ１からＯＫレスポンスが返ってくると、第２中継サーバＢは第１中継サーバＡにＯＫレスポンスを返す。
【００９４】
さらに、第１中継サーバＡは、第２クライアント端末Ａ２に変更された中継グループ情報を送信する（ステップＳ２２：Ｓｅｔ＿Ｇｒｏｕｐ（中継グループ情報））。第２クライアント端末Ａ２は、第１中継サーバＡにＯＫレスポンスを返す。第１中継サーバＡは、第１クライアント端末Ａ１に、変更された中継グループ情報を送信する（ステップＳ２３：Ｓｅｔ＿Ｇｒｏｕｐ（中継グループ情報））。第１クライアント端末Ａ１は第１中継サーバＡにＯＫレスポンスを返す。
【００９５】
第１中継サーバＡは、第３中継サーバＣに対して、変更された中継グループ情報を送信する（ステップＳ２１．２：Ｓｅｔ＿Ｇｒｏｕｐ（中継グループ情報））。すると、第３中継サーバＣは、第４クライアント端末Ｃ１と第５クライアント端末Ｃ２に、中継グループ情報を送信する（ステップＳ２１．２．１、ステップＳ２１．２．２：Ｓｅｔ＿Ｇｒｏｕｐ（中継グループ情報））。第４クライアント端末Ｃ１および第５クライアント端末Ｃ２からそれぞれＯＫレスポンスが返ってくると、第３中継サーバＣは第１中継サーバＡにＯＫレスポンスを返す。
【００９６】
以上の処理により、第１中継グループ内の全ての中継サーバおよびクライアント端末が中継グループ情報を共有する。
【００９７】
１．９−２  中継サーバ情報の共有
次に、中継サーバ情報の共有について説明する。ここでは、共有のための処理は、イベント通知のフレームワークを用いる。イベント通知において、購読者はリソースの状態通知を要求するエージェントであり、通知者はリソースの状態を通知するエージェントである。購読期間中にリソースの状態に変化があったときには、通知者から購読者に変化が通知される。
【００９８】
第１中継サーバＡは、第２中継サーバＢに対して、中継サーバ情報の購読を申し込む（ステップＳ２４：Ｓｕｂｓｃｒｉｂｅ（））。第２中継サーバＢの制御部１２２Ｂは、中継サーバ情報が示す状態に変更があった場合には、自ら保持している中継サーバ情報を更新する。そして、第２中継サーバＢは、更新した中継サーバ情報を第１中継サーバＡに送信する。第１中継サーバＡの制御部１２２Ａは、第２中継サーバＢから送信されてきた中継サーバ情報を利用して、中継サーバ情報を更新する。第１中継サーバＡは、中継サーバ情報が更新されたことを第１クライアント端末Ａ１に通知し（ステップＳ２５：Ｎｏｔｉｆｙ（中継サーバ情報））、さらに第２クライアント端末Ａ２に通知する（ステップＳ２６：Ｎｏｔｉｆｙ（中継サーバ情報））。
【００９９】
次に、第１中継サーバＡは、第３中継サーバＣに対して、中継サーバ情報の購読を申し込む（ステップＳ２７：Ｓｕｂｓｃｒｉｂｅ（））。第３中継サーバＣの制御部１２２Ｃは、中継サーバ情報が示す状態に変更があった場合に、自ら保持している中継サーバ情報を更新する。そして、第３中継サーバＣは、更新した中継サーバ情報を第１中継サーバＡに送信する。第１中継サーバＡの制御部１２２Ａは、第３中継サーバＣから送信されてきた中継サーバ情報を利用して、中継サーバ情報を更新する。第１中継サーバＡは、中継サーバ情報が更新されたことを第１クライアント端末Ａ１に通知し（ステップＳ２８：Ｎｏｔｉｆｙ（中継サーバ情報））、さらに第２クライアント端末Ａ２に通知する（ステップＳ２９：Ｎｏｔｉｆｙ（中継サーバ情報））。
【０１００】
第２中継サーバＢは、第１中継サーバＡに対して、中継サーバ情報の購読を申し込む（ステップＳ３０：Ｓｕｂｓｃｒｉｂｅ（））。第１中継サーバＡの制御部１２２Ａは、中継サーバ情報が示す状態に変更があった場合に、自ら保持している中継サーバ情報を更新する。そして、第１中継サーバＡは、更新した中継サーバ情報を第２中継サーバＢに送信する。第２中継サーバＢの制御部１２２Ｂは、第１中継サーバＡから送信されてきた中継サーバ情報を利用して、中継サーバ情報を更新する。第２中継サーバＢは、中継サーバ情報が更新されたことを第３クライアント端末Ｂ１に通知する（ステップＳ３１：Ｎｏｔｉｆｙ（中継サーバ情報））。
【０１０１】
第２中継サーバＢは、第３中継サーバＣに対して、中継サーバ情報の購読を申し込む（ステップＳ３２：Ｓｕｂｓｃｒｉｂｅ（））。第３中継サーバＣの制御部１２２Ｃは、中継サーバ情報が示す状態に変更があった場合に、自ら保持している中継サーバ情報を更新する。そして、第３中継サーバＣは、更新した中継サーバ情報を第２中継サーバＢに送信する。第２中継サーバＢの制御部１２２Ｂは、第３中継サーバＣから送信されてきた中継サーバ情報を利用して、中継サーバ情報を更新する。第２中継サーバＢは、中継サーバ情報が更新されたことを第３クライアント端末Ｂ１に通知する（ステップＳ３３：Ｎｏｔｉｆｙ（中継サーバ情報））。
【０１０２】
第３中継サーバＣは、第２中継サーバＢに対して、中継サーバ情報の購読を申し込む（ステップＳ３４：Ｓｕｂｓｃｒｉｂｅ（））。第２中継サーバＢの制御部１２２Ｂは、中継サーバ情報が示す状態に変更があった場合に、自ら保持している中継サーバ情報を更新する。そして、第２中継サーバＢは、更新した中継サーバ情報を第３中継サーバＣに送信する。第３中継サーバＣの制御部１２２Ｃは、第２中継サーバＢから送信されてきた中継サーバ情報を利用して、中継サーバ情報を更新する。第３中継サーバＣは、中継サーバ情報が更新されたことを第４クライアント端末Ｃ１に通知し（ステップＳ３５：Ｎｏｔｉｆｙ（中継サーバ情報））、さらに第５クライアント端末Ｃ２に通知する（ステップＳ３６：Ｎｏｔｉｆｙ（中継サーバ情報））。
【０１０３】
第３中継サーバＣは、第１中継サーバＡに対して、中継サーバ情報の購読を申し込む（ステップＳ３７：Ｓｕｂｓｃｒｉｂｅ（））。第１中継サーバＡの制御部１２２Ａは、中継サーバ情報が示す状態に変更があった場合に、自ら保持している中継サーバ情報を更新する。そして、第１中継サーバＡは、更新した中継サーバ情報を第３中継サーバＣに送信する。第３中継サーバＣの制御部１２２Ｃは、第１中継サーバＡから送信されてきた中継サーバ情報を利用して、中継サーバ情報を更新する。第３中継サーバＣは、中継サーバ情報が更新されたことを第４クライアント端末Ｃ１に通知し（ステップＳ３８：Ｎｏｔｉｆｙ（中継サーバ情報））、さらに第５クライアント端末Ｃ２に通知する（ステップＳ３９：Ｎｏｔｉｆｙ（中継サーバ情報））。
【０１０４】
以上の処理により、第１中継サーバＡ、第２中継サーバＢ、第３中継サーバＣは、中継サーバ情報が更新された場合にも、直ちに更新された中継サーバ情報を共有する。したがって、第１中継サーバＡ、第２中継サーバＢおよび第３中継サーバＣは、他の中継サーバの起動状態、中継サーバに接続されているクライアント端末の種類およびログオン状態を常に知ることができる。
【０１０５】
１．９−３  情報共有のまとめ
中継通信システムにおいて、ＬＡＮおよびクライアント端末の増減状態および接続状態が変化した場合、一の中継サーバは、状態変化を認識したときには、その内容に応じて、中継グループ情報、中継サーバ情報、クライアント端末情報を直ちに更新する。
【０１０６】
そして、一の中継サーバは、中継グループ情報および中継サーバ情報に記載されている他の中継サーバに、中継グループ情報および中継サーバ情報が更新されたことを直ちに通知する。さらに、一の中継サーバは、クライアント端末情報に記載されているクライアント末に、中継グループ情報および中継サーバ情報が更新されたことを直ちに通知する。
【０１０７】
しかし、一の中継サーバは、他の中継サーバが中継グループ情報および中継サーバ情報に記載されているとしても、他の中継サーバが未接続状態にあると判断したときには、他の中継サーバに直ちに通知することはない。さらに、一の中継サーバは、クライアント端末がクライアント端末情報に記載されているとしても、クライアント端末が未接続状態にあると判断したときには、クライアント端末に直ちに通知することはない。
【０１０８】
これにより、ＬＡＮおよびクライアント端末の増減状態および接続状態についての情報は、中継通信システム全体としてリアルタイムに共有される。
【０１０９】
１．１０  リモートファイル制御情報の共有およびデータ保存処理の流れ
次に、図１７を用いて、第１中継グループに属する中継サーバおよびクライアント端末内で、中継グループ情報、中継サーバ情報およびクライアント端末情報が共有されている場合における、リモートファイル制御情報の共有およびデータ保存処理の流れを説明する。図１７は、リモートファイル制御情報の共有及びデータ保存の処理の流れを示す。
【０１１０】
１．１０−１  リモートファイル制御情報の共有
まず、リモートファイル制御情報の共有について説明する。
第１クライアント端末Ａ１の制御部２２２Ａ１は、第１中継サーバＡに対して、リモートファイル制御情報を通知する（ステップＳ４１：Ｎｏｔｉｆｙ＿Ｃａｐｔｕｒｅ（ｆｏｌｄｅｒＡ））。このとき、制御部２２１Ａ１は、そのリモートファイル制御情報をリモートファイル制御情報格納部２３２Ａ１に格納する。ここでは、制御部２２２Ａ１によってリモートファイル制御情報が作成され、リモートファイル制御情報には、共通記憶領域の仮想フォルダ名として「ｆｏｌｄｅｒＡ」が含まれ、「ＯＷＮＥＲ」として、第１クライアント端末Ａ１の識別情報が含まれているとする。また、リモートファイル制御情報には、制御部２２２Ａ１によって作成された、共通記憶領域を特定する「ＩＤ」が含まれているとする。
【０１１１】
第１中継サーバＡの制御部１２２Ａは、リモートファイル制御情報をリモートファイル制御情報格納部１３１Ａに格納する。続いて、制御部１２２Ａは、中継サーバ情報を参照して、通知されたリモートファイル制御情報を通知すべき中継サーバを決定する。具体的には、第１中継サーバＡの制御部１２２Ａは、中継サーバ情報の「ｓｔａｔ」を参照して、ログオン状態である第２中継サーバＢおよび第３中継サーバＣを通知すべき中継サーバと決定する。これにより、制御部１２２Ａは、第２中継サーバＢに対して、リモートファイル制御情報を通知する（ステップＳ４１．１：Ｎｏｔｉｆｙ＿Ｃａｐｔｕｒｅ（ｆｏｌｄｅｒＡ））。
【０１１２】
リモートファイル制御情報が通知された後に、第２中継サーバＢの制御部１２２Ｂは、リモートファイル制御情報をリモートファイル制御情報格納部１３１Ｂに格納し、第１中継サーバＡに対してＯＫレスポンスを返す。続いて、制御部１２２Ｂは、中継サーバ情報を参照し、リモートファイル制御情報を通知すべきクライアント端末を決定する。具体的には、制御部１２２Ｂは、中継サーバ情報の「ｓｉｔｅ」を参照して、ログオン状態である第３クライアント端末Ｂ１を通知すべきクライアント端末と決定する。これにより、第２中継サーバＢは、第３クライアント端末Ｂ１に対して、リモートファイル制御情報を通知する（ステップＳ４１．１．１：Ｎｏｔｉｆｙ＿Ｃａｐｔｕｒｅ（ｆｏｌｄｅｒＡ））。
【０１１３】
リモートファイル制御情報が通知された後に、第３クライアント端末Ｂ１の制御部２２２Ｂ１は、リモートファイル制御情報をリモートファイル制御情報格納部２３２Ｂ１に格納し、第２中継サーバＢに対してＯＫレスポンスを返す。ＯＫレスポンスを受けた後に、第２中継サーバＢは、第１中継サーバＡに対してＯＫレスポンスを返す。
【０１１４】
また、第１中継サーバＡは、中継サーバ情報を参照し、第１中継サーバＡにリモートファイル制御情報を通知した第１クライアント端末Ａ１以外に、同一ＬＡＮ内でリモートファイル制御情報を通知すべきクライアント端末があるか決定する。ここでは、制御部１２２Ａは、第２クライアント端末Ａ２を通知すべきクライアント端末と決定する。これにより、制御部１２２Ａは、第２クライアント端末Ａ２に対して、リモートファイル制御情報を通知する（ステップＳ４１．２：Ｎｏｔｉｆｙ＿Ｃａｐｔｕｒｅ（ｆｏｌｄｅｒＡ））。
【０１１５】
リモートファイル制御情報が通知された第２クライアント端末Ａ２の制御部２２２Ａ２は、リモートファイル制御情報をリモートファイル制御情報格納部２３２Ａ２に格納し、第１中継サーバＡにＯＫレスポンスを返す。
【０１１６】
第１中継サーバＡは、第２中継サーバＢと同様に、第３中継サーバＣに対してリモートファイル制御情報を通知する（ステップＳ４１．３：Ｎｏｔｉｆｙ＿Ｃａｐｔｕｒｅ（ｆｏｌｄｅｒＡ））。
【０１１７】
第３中継サーバＣの制御部１２２Ｃは、リモートファイル制御情報をリモートファイル制御情報格納部１３１Ｃに格納する。続いて、制御部１２２Ｃは、中継サーバ情報を参照し、リモートファイル制御情報を通知すべきクライアント端末を決定する。ここでは、制御部１２２Ｃは、第４クライアント端末Ｃ１および第５クライアント端末Ｃ２を通知すべきクライアント端末と決定する。これにより、第３中継サーバＣは、第４クライアント端末Ｃ１に対して、リモートファイル制御情報を通知する（ステップＳ４１．３．１：Ｎｏｔｉｆｙ＿Ｃａｐｔｕｒｅ（ｆｏｌｄｅｒＡ））。また、第３中継サーバＣは、第５クライアント端末Ｃ２に対して、リモートファイル制御情報を通知する（ステップＳ４１．３．２：Ｎｏｔｉｆｙ＿Ｃａｐｔｕｒｅ（ｆｏｌｄｅｒＡ））。第４クライアント端末Ｃ１および第５クライアント端末Ｃ２の制御部２２２Ｃ１、２２２Ｃ２は、それぞれリモートファイル制御情報をリモートファイル制御情報格納部２３２Ｃ１、２３２Ｃ２に格納し、第３中継サーバＣに対してＯＫレスポンスを返す。
【０１１８】
第１中継サーバＡは、リモートファイル制御情報を通知した全ての中継サーバおよびクライアント端末からＯＫレスポンスを受け取ると、第１クライアント端末Ａ１にＯＫレスポンスを返す。
【０１１９】
以上の処理により、中継サーバ情報に基づき、第１中継システム内にあってログオン状態にある全ての中継サーバおよびクライアント端末が、共通のリモートファイル制御情報を保有する。
【０１２０】
１．１０−２  データ保存の処置の流れ
次に、第１中継システム内の全ての中継サーバおよびクライアント端末においてリモートファイル制御情報が共有された後のデータ保存の処理の流れを、二つの実施例を挙げて、以下説明する。
【０１２１】
１．１０−２−１  第１実施例
まず、メディアセッションを介して第３クライアント端末Ｂ１から第２クライアント端末Ａ２とへ転送された通信データを、第１クライアント端末Ａ１の共通記憶領域に格納する場合を例に挙げて説明する。
【０１２２】
（１）  データ保存の指示の通知
第２中継サーバＢの制御部１２２Ｂは、第２中継サーバＢの管理者の操作により、第３クライアント端末Ｂ１に対して、データ保存の指示を通知する（ステップＳ４２：Ｎｏｔｉｆｙ＿Ｃａｐｔｕｒｅ（ｃｌｉｅｎｔＢ１，ｆｏｌｄｅｒＡ））。具体的には、第２中継サーバＢの管理者は、リモートファイル制御情報格納部１３１Ｂに格納されたリモートファイル制御情報により、第１クライアント端末Ａ１に仮想フォルダ「ｆｏｌｄｅｒＡ」という共通記憶領域があることを確認できる。そこで、第２中継サーバＢは、第３クライアント端末Ｂ１に対して、第３クライアント端末Ｂ１から他のクライアント端末に転送される通信データを、「ｆｏｌｄｅｒＡ」に保存する旨の指示を通知する。
なお、ここでは、第２クライアント端末Ｂ１と同一ＬＡＮ内で接続されている第２中継サーバＢがデータ保存の指示を通知する例を挙げて説明した。しかし、この例には限定されず、第１中継サーバＡや第３中継サーバＣや、第２クライアント端末Ｂ１以外の他のクライアント端末より、第３クライアント端末Ｂ１に対してデータ保存の指示がなされてもよい。
データ保存の指示を受けた第３クライアント端末Ｂ１は、第２中継サーバＢに対してＯＫレスポンスを返す。
【０１２３】
（２）  データ通信セッションの確立
データ保存の指示を受けた後、第３クライアント端末Ｂ１において、第２クライアント端末Ａ２との間で通信を行う必要性が生じたとする。例えば、第３クライアント端末Ｂ１のユーザが、中継サーバ情報を参照することによって、第２クライアント端末Ａ２との間で通信が可能であることを確認し、第２クライアント端末Ａ２にデータを転送する指示を第３クライアント端末Ｂ１に行ったとする。
【０１２４】
すると、第３クライアント端末Ｂ１は、次のように第２クライアント端末Ａ２との間にデータ通信セッションを確立させる。
【０１２５】
まず、第３クライアント端末Ｂ１の制御部２２２Ｂ１は、中継サーバ情報を参照し、第２中継サーバＢに対して、メディアセッションを確立するための開始要求を行う（ステップＳ４３：Ｉｎｖｉｔｅ（ｃｌｉｅｎｔＡ２，ｃｌｉｅｎｔＢ１））。このＩＮＶＩＴＥコマンドには、送信元としての第３クライアント端末Ｂ１と送信先としての第２クライアント端末Ａ２の指定が含まれている。
【０１２６】
開始要求を受けた後、第２中継サーバＢの制御部１２２Ｂは、中継サーバ情報を参照し、第１中継サーバＡに対して、メディアセッションを確立するための開始要求を行う（ステップＳ４３．１：Ｉｎｖｉｔｅ（ｃｌｉｅｎｔＡ２，ｃｌｉｅｎｔＢ１））。続いて、第１中継サーバＡの制御部１２２Ａは、第２クライアント端末Ａ２に対してメディアセッションを確立するための開始要求を行う（ステップＳ４３．１．１：Ｉｎｖｉｔｅ（ｃｌｉｅｎｔＡ２，ｃｌｉｅｎｔＢ１））。
【０１２７】
第２クライアント端末Ａ２から第１中継サーバＡおよび第２中継サーバＢを介して第３クライアント端末Ｂ１にＯＫレスポンスが返されると、第３クライアント端末Ｂ１は、第２中継サーバＢにＡＣＫを送信する（ステップＳ４４：ＡＣＫ（））。第２中継サーバＢは、第１中継サーバＡに対してＡＣＫを送信する（ステップＳ４４．１：ＡＣＫ（））。第１中継サーバＡは、第２クライアント端末Ａ２に対してＡＣＫを送信する（ステップＳ４４．１．１：ＡＣＫ（））。
【０１２８】
第２クライアント端末Ａ２がＡＣＫを受信することにより、第１中継サーバＡおよび第２中継サーバＢを介して、第３クライアント端末Ｂ１と第２クライアント端末Ａ２との間でメディアセッションが確立される。すなわち、メディアセッションを介して、第３クライアント端末Ｂ１および第２クライアント端末Ａ２同士が双方向に通信データの転送を行うことが可能となる。
【０１２９】
（３）  リモートファイル制御セッションの確立
次に、第３クライアント端末Ｂ１は、ステップＳ４２で受領したデータ保存の指示に基づき、第１クライアント端末Ａ１との間で、リモートファイル制御セッションを確立させる。
【０１３０】
第３クライアント端末Ｂ１の制御部２２２Ｂ１は、データ保存の指示により、通信データを保存する共通記憶領域が仮想フォルダ「ｆｏｌｄｅｒＡ」である旨の指示を受けている。また、制御部２２２Ｂ１は、リモートファイル制御情報格納部２３２Ｂ１に格納されたリモートファイル制御情報により、「ｆｏｌｄｅｒＡ」の「ＯＷＮＥＲ」が第１クライアント端末Ａ１であることを確認できる。さらに、制御部２２２Ｂ１は、中継サーバ情報により、第１中継サーバＡを介して第１クライアント端末Ａ１と通信可能であることを確認できる。
【０１３１】
そこで、第３クライアント端末Ｂ１の制御部２２２Ｂ１は、第２中継サーバＢに対して、第１クライアント端末Ａ１との間にメディアセッションを確立するための開始要求を行う（ステップＳ４５：Ｉｎｖｉｔｅ（ｃｌｉｅｎｔＡ１，ｃｌｉｅｎｔＢ１））。このＩｎｖｉｔｅコマンドには、通信データの送信元としての第３クライアント端末Ｂ１、および送信先としての第１クライアント端末Ａ１の指定が含まれる。その開始要求を受けた第２中継サーバＢの制御部１２２Ｂは、中継サーバ情報を参照して、第１中継サーバＡに対してメディアセッションを確立するための開始要求を行う（ステップＳ４５．１：Ｉｎｖｉｔｅ（ｃｌｉｅｎｔＡ１，ｃｌｉｅｎｔＢ１））。第１中継サーバＡの制御部１２２Ａは、中継サーバ情報を参照して、第１クライアント端末Ａ１に対してメディアセッションを確立するための開始要求を行う（ステップＳ４５．１．１：Ｉｎｖｉｔｅ（ｃｌｉｅｎｔＡ１，ｃｌｉｅｎｔＢ１））。
【０１３２】
第１クライアント端末Ａ１から第１中継サーバＡおよび第２中継サーバＢを介して第３クライアント端末Ｂ１にＯＫレスポンスが返されると、第３クライアント端末Ｂ１は、第２中継サーバＢにＡＣＫを送信する（ステップＳ４６：ＡＣＫ（））。第２中継サーバＢは、第１中継サーバＡに対してＡＣＫを送信する（ステップＳ４６．１：ＡＣＫ（））。第１中継サーバＡは、第１クライアント端末Ａ１に対してＡＣＫを送信する（ステップＳ４６．１．１：ＡＣＫ（））。
【０１３３】
第１クライアント端末Ａ１がＡＣＫを受信することにより、第２中継サーバＢおよび第１中継サーバＡを介して、第３クライアント端末Ｂ１と第１クライアント端末Ａ１との間でメディアセッションが確立される。すなわち、メディアセッションを介して、第３クライアント端末Ｂ１および第１クライアント端末Ａ１同士が双方向に通信データの転送を行うことが可能となる。
【０１３４】
なお、ステップＳ４５およびステップＳ４６のセッションの確立は、ステップＳ４３およびステップＳ４４におけるメディアセッションの確立と並行して行われてもよい。
【０１３５】
（４）  データ保存処理
第３クライアント端末Ｂ１と第１クライアント端末Ａ１との間でメディアセッションが確立されると、第３クライアント端末Ｂ１の制御部２２２Ｂ１は、第１クライアント端末Ａ１に対してファイル作成指示を通知する（ステップＳ４７：ｃｒｅａｔｅｆｉｌｅ（ｓｓｎ１／ｃａｐｔｕｒｅ１．ｃａｐ））。
【０１３６】
前述のとおり、リモートファイル制御情報で示された「ｆｏｌｄｅｒＡ」は共通記憶領域を示す仮想的なフォルダ名であり、実在の格納場所を示すものではない。従って、第３クライアント端末Ｂ１にとっては、実在する共通記憶領域がどこにあるのか不明である。また、第３クライアント端末Ｂ１は、第１クライアント端末Ａ１内にある共通記憶領域を直接操作することはできない。
【０１３７】
そこで、制御部２２２Ｂ１は、ｃｒｅａｔｅｆｉｌｅコマンドを、第１クライアント端末Ａ１に通知する。このように、ｃｒｅａｔｅｆｉｌｅコマンドを通知することにより、制御部２２２Ｂ１は、「ｆｏｌｄｅｒＡ」の「ＯＷＮＥＲ」である第１クライアント端末Ａ１に、共通記憶領域としての実在ファイルを作成するように依頼する。ここでは、制御部２２２Ｂ１は、「ｓｓｎ１」というフォルダを作成し、そのフォルダの中に「ｃａｐｔｕｒｅ１．ｃａｐ」というファイルを作成する依頼を行う。
【０１３８】
第１クライアント端末Ａ１の制御部２２２Ａ１は、ファイルの作成依頼に基づき、共通記憶領域内にファイルを作成する。すなわち、制御部２２２Ａ１は、自端末に組み込まれたＯＳ（オペレーションシステム）を用いて、通信データ格納部２３３Ａ１内に、「ｓｓｎ１」というフォルダを作成し、そのフォルダの中に「ｃａｐｔｕｒｅ１．ｃａｐ」というファイルを作成する。続いて、制御部２２２Ａ１は、第３クライアント端末Ｂ１にＯＫレスポンスを返す。このとき、新規に作成された「ｃａｐｔｕｒｅ１．ｃａｐ」は、オープン状態にある。
【０１３９】
その後、第３クライアント端末Ｂ１は、第２クライアント端末Ａ２に対して通信データの転送を開始する（ステップＳ４８：ｓｅｎｄ（ｄａｔａ））。通信データを受領した第２クライアント端末Ａ２は、第３クライアント端末Ｂ１に対して、ｒｅｃｖ（ｄａｔａ）を送付することでデータの受領を通知する。
【０１４０】
通信データの転送を行った第３クライアント端末Ｂ１の制御部２２２Ｂ１は、第１クライアント端末Ａ１に対して、ｗｒｉｔｅｆｉｌｅコマンドを、ステップＳ４８にて転送した通信データと一緒に通知する（ステップＳ４９：ｗｒｉｔｅｆｉｌｅ（ｄａｔａ））。ｗｒｉｔｅｆｉｌｅコマンドは、ファイルの作成依頼に応じて作成されたファイルの中に、一緒に通知する通信データを書き込む指示の通知を行うものである。
【０１４１】
ｗｒｉｔｅｆｉｌｅコマンドを受けた第１クライアント端末Ａ１の制御部１２２Ａは、「ｃａｐｔｕｒｅ１．ｃａｐ」の中に、通信データを書き込み保存する。その後、第１クライアント端末Ａ１は、第３クライアント端末Ｂ１に対してＯＫレスポンスを返す。
【０１４２】
その後、新たに第３クライアント端末Ｂ１から第２クライアント端末Ａ２に対してデータを転送されると（ステップＳ５０：ｓｅｎｄ（ｄａｔａ））、第２クライアント端末Ａ２は、第３クライアント端末Ｂ１に対して、ｒｅｃｖ（ｄａｔａ）を送付することで、データの受領を通知する。このとき、第３クライアント端末Ｂ１は、第１クライアント端末Ａ１に対して、ｗｒｉｔｅｆｉｌｅコマンドを、新たに第２クライアント端末Ａ２に転送した通信データと一緒に送付する（ステップＳ５１：ｗｒｉｔｅｆｉｌｅ（ｄａｔａ））。ｗｒｉｔｅｆｉｌｅコマンドを受けた第１クライアント端末Ａ１は、ｃａｐｔｕｒｅ１．ｃａｐファイルの中に、受け取った通信データを書き込み保存する。第１クライアント端末Ａ１は、第３クライアント端末Ｂ１に対してＯＫレスポンスを返す。
【０１４３】
通信データの転送が終了した場合、第３クライアント端末Ｂ１は、第２クライアント端末Ａ２に対して、接続終了要求を通知する（ステップＳ５２：ＢＹＥ（））。接続終了要求を通知された第２クライアント端末Ａ２がＯＫレスポンスを返すと、実際に接続が終了される。
【０１４４】
また、第３クライアント端末Ｂ１は、第１クライアント端末Ａ１に対して、ファイルのクローズ要求を通知する（ステップＳ５３：ｃｌｏｓｅｆｉｌｅ（））。ファイルのクローズ要求を通知された第１クライアント端末Ａ１は、ｃａｐｔｕｒｅ１．ｃａｐファイルを閉じ、第３クライアント端末Ｂ１にＯＫレスポンスを返す。
【０１４５】
以上の処理により、第３クライアント端末Ｂ１と第２クライアント端末Ａ２との間の通信データを、共通記憶領域であるｃａｐｔｕｒｅ１．ｃａｐファイルに保存することができる。
なお、上記では、第３クライアント端末Ｂ１から第２クライアント端末Ａ２に通信データが転送される度に、通信データがｃａｐｔｕｒｅ１．ｃａｐファイルに保存される例を挙げた。しかし、第３クライアント端末Ｂ１と第２クライアント端末Ａ２との間における複数の通信データの転送が終了した後に、複数の通信データが一度にｃａｐｔｕｒｅ１．ｃａｐファイルに書き込まれてもよい。
【０１４６】
１．１０−２−２  第２実施例  第２実施例では、第２クライアント端末Ｂ１が第３クライアント端末Ｃ１に転送する転送データを、第１クライアント端末Ａ１の共通記憶領域に保存する。つまり、共通記憶領域を有するクライアント端末と、通信データを転送するクライアント端末と、通信データを受信するクライアント端末が、すべて異なるＬＡＮ内に接続されている。それ以外は、第２実施例は、前述の第１実施例と同様の構成を有し、同様の処理が行われる。以下、第１実施例と異なる処理について、詳細に説明する。
【０１４７】
図１８は、第２実施例におけるリモートファイル制御情報の共有及びデータ保存処理の流れを示す図である。
【０１４８】
ステップＳ６１〜Ｓ６２では、第１実施例のステップＳ４１〜４２と同様の処理がなされるので説明を省略する。
【０１４９】
ステップＳ６２でデータ保存の指示を受けた第３クライアント端末Ｂ１において、第４クライアント端末Ｃ１との間で通信を行う必要性が生じたとする。すると、第３クライアント端末Ｂ１は、第４クライアント端末Ｃ１との間でデータ通信セッションを確立させる。
【０１５０】
まず、第３クライアント端末Ｂ１の制御部２２２Ｂ１は、中継サーバ情報を参照し、第２中継サーバＢに対して、メディアセッションを確立するための開始要求を行う（ステップＳ６３：Ｉｎｖｉｔｅ（ｃｌｉｅｎｔＣ１，ｃｌｉｅｎｔＢ１））。このＩＮＶＩＴＥコマンドには、送信元としての第３クライアント端末Ｂ１と送信先としての第４クライアント端末Ｃ１の指定が含まれている。
【０１５１】
開始要求を受けた第２中継サーバＢの制御部１２２Ｂは、中継サーバ情報を参照し、第３中継サーバＣに対して、メディアセッションを確立するための開始要求を行う（ステップＳ６３．１：Ｉｎｖｉｔｅ（ｃｌｉｅｎｔＣ１，ｃｌｉｅｎｔＢ１））。第３中継サーバＣの制御部１２２Ｃは、第４クライアント端末Ｃ１に対してメディアセッションを確立するための開始要求を行う（ステップＳ６３．１．１：Ｉｎｖｉｔｅ（ｃｌｉｅｎｔＣ１，ｃｌｉｅｎｔＢ１））。
【０１５２】
第４クライアント端末Ｃ１から第３中継サーバＣおよび第２中継サーバＢを介して第３クライアント端末Ｂ１にＯＫレスポンスが返されると、第３クライアント端末Ｂ１は、第２中継サーバＢにＡＣＫを送信する（ステップＳ６４：ＡＣＫ（））。第２中継サーバＢは、第３中継サーバＣに対してＡＣＫを送信する（ステップＳ６４．１：ＡＣＫ（））。第３中継サーバＣは、第４クライアント端末Ｃ１に対してＡＣＫを送信する（ステップＳ６４．１．１：ＡＣＫ（））。
【０１５３】
第４クライアント端末Ｃ１がＡＣＫを受信することにより、第３中継サーバＣおよび第２中継サーバＢを介して、第３クライアント端末Ｂ１と第４クライアント端末Ｃ１との間でメディアセッションが確立される。すなわち、メディアセッションを介して、第３クライアント端末Ｂ１および第４クライアント端末Ｃ１同士が双方向に通信データの転送を行うことが可能となる。
【０１５４】
次に、第１実施例のステップＳ４５〜ステップＳ４６と同様に、第３クライアント端末Ｂ１は、第２クライアント端末Ａ１との間で、リモートファイル制御セッションを確立させる（ステップＳ６５〜６６）。なお、このセッションの確立は、ステップＳ６３〜ステップＳ６４におけるメディアセッションの確立と並行して行われてもよい。
【０１５５】
また、第１実施例のステップＳ４７と同様に、第３クライアント端末Ｂ１の制御部２２２Ｂ１は、第１クライアント端末Ａ１に対してファイル作成指示を通知する（ステップＳ６７：ｃｒｅａｔｅｆｉｌｅ（ｓｓｎ／ｃａｐｔｕｒｅ１．ｃａｐ））。第１クライアント端末Ａ１の制御部２２２Ａ１は、自端末に組み込まれたＯＳ（オペレーションシステム）を用いて、通信データ格納部２３３Ａ１内にｓｓｎ１というフォルダと、そのフォルダの中に「ｃａｐｔｕｒｅ１．ｃａｐ」というファイルを作成する。このとき、新規に作成されたファイルである「ｃａｐｔｕｒｅ１．ｃａｐ」は、オープン状態にある。その後、制御部２２２Ａ１は、第３クライアント端末Ｂ１にＯＫレスポンスを返す。
【０１５６】
このような状態で、第３クライアント端末Ｂ１は、第４クライアント端末Ｃ１に対して、通信データの転送を開始する（ステップＳ６８：ｓｅｎｄ（ｄａｔａ））。通信データを受領した第４クライアント端末Ｃ１は、第３クライアント端末Ｂ１に対して、ｒｅｃｖ（ｄａｔａ）を送付することでデータの受領を通知する。
【０１５７】
続いて、第３クライアント端末Ｂ１は、第１実施例のステップＳ４９と同様に、第１クライアント端末Ａ１に対して、ｗｒｉｔｅｆｉｌｅコマンドを、ステップＳ６８にて転送した通信データと一緒に通知する（ステップＳ６９：ｗｒｉｔｅｆｉｌｅ（ｄａｔａ））。ｗｒｉｔｅｆｉｌｅコマンドを受けた第１クライアント端末Ａ１は、ｃａｐｔｕｒｅ１．ｃａｐファイルの中に、通信データを書き込み格納する。また、第１クライアント端末Ａ１は、第３クライアント端末Ｂ１に対してＯＫレスポンスを返す。
【０１５８】
その後、新たに第３クライアント端末Ｂ１から第４クライアント端末Ｃ１に対してデータを転送されると（ステップＳ７０：ｓｅｎｄ（ｄａｔａ））、第４クライアント端末Ｃ１は、第３クライアント端末Ｂ１に対して、ｒｅｃｖ（ｄａｔａ）を送付し、データの受領を通知する。そして、第３クライアント端末Ｂ１は、第１クライアント端末Ａ１に対して、ｗｒｉｔｅｆｉｌｅコマンドを、新たに第４クライアント端末Ｃ１に転送した通信データと一緒に送付する（ステップＳ７１：ｗｒｉｔｅｆｉｌｅ（ｄａｔａ））。ｗｒｉｔｅｆｉｌｅコマンドを受けた第１クライアント端末Ａ１は、ｃａｐｔｕｒｅ１．ｃａｐファイルの中に、受け取った通信データを書き込み格納する。また、第１クライアント端末Ａ１は、第３クライアント端末Ｂ１に対してＯＫレスポンスを返す。
続くステップＳ７２〜Ｓ７３の処理は、第１実施例のステップＳ５２〜５３の処理と同様である。
【０１５９】
以上の処理を行う第２実施例は、以下のような遠隔保守システムに用いることができる。
例えば、図１において、第３ＬＡＮ３を、ユーザが使用するユーザネットワークとする。また、第１ＬＡＮ１および第２ＬＡＮ２を、第３ＬＡＮ３の遠隔保守を行う保守会社が使用するネットワークであると仮定する。そして、第１ＬＡＮ１は、ユーザからの問い合わせ等を受け付けるコールセンタとし、第２ＬＡＮ２は、保守会社のサービスマンのコンピュータと接続された保守センタと仮定する。
【０１６０】
この場合において、ユーザが使用する第４クライアント端末Ｃ１に何らかのトラブルが発生したとき、サービスマンは、第３クライアント端末Ｂ１を使用して第４クライアント端末Ｃ１の遠隔保守を行う。
このとき、サービスマンは、上記の中継システムを利用することにより、保守対象である第４クライアント端末Ｃ１と自身が使用する第３クライアント端末Ｂ１との間の通信データを、コールセンタに設けられた第１クライアント端末Ａ１の共通記憶領域に保存することができる。従って、例えば、サービスマンが使用するクライアント端末が備える記憶領域が小さい場合であっても、コールセンタにあるクライアント端末の記憶領域に、ユーザの使用するクライアント端末との通信データを保存させることができる。
【０１６１】
１．１１  本実施形態による効果
本実施形態の中継通信システムでは、共有された中継サーバ情報およびリモートファイル制御情報を参照することにより、同一中継グループ内で記憶領域を共有することができる。よって、クライアント端末から転送される通信データを、同一中継グループ内にある複数のクライアント端末のうち、通信データの転送を行うクライアント端末とは異なるクライアント端末に設定された共通記憶領域に保存することができるようになる。また、共有された中継サーバおよびリモートファイル制御情報を参照することにより、クライアント端末から転送される通信データを保存するための指示を、同一の中継グループ内にあれば、いずれの中継サーバおよびクライアント端末からも行うことが可能となる。従って、同一中継グループ内で記憶領域を共有することができ、よりユーザのニーズに応じた通信データの保存を実現することができる。
２．第２実施形態
【０１６２】
図１９に、第２実施形態にかかる中継通信システムを示す。本実施形態の中継通信システムは、複数の中継サーバから構成される中継グループではなく、一つの中継サーバおよびその中継サーバに接続される複数のクライアント端末から構成されること以外は、第１実施形態の構成と同様である。従って、既に説明した構成について同符号を付し、その説明を省略する。以下、第１ＬＡＮ１内の第１中継サーバＡおよび第１クライアント端末Ａ１及び第２クライアント端末Ａ２において、中継サーバ情報およびクライアント端末情報が共有されている場合に、さらにリモートファイル制御情報が共有されデータ保存処理が行われる例を挙げて説明する。
【０１６３】
図１９に示すように、第２実施形態にかかる中継通信システムは、第１中継サーバＡを有する。第１中継サーバＡは、第１クライアント端末Ａ１および第２クライアント端末Ａ２と接続されている。
図２０は、本実施形態におけるリモートファイル制御情報の共有及びデータ保存の処理の流れを示す。
ステップＳ８１では、中継サーバ情報に基づき、第１中継サーバＡ、第１クライアント端末Ａ１および第２クライアント端末Ａ２が、共通のリモートファイル制御情報を保有する処理がなされる。この処理は、第１実施例のステップＳ４１と同様の処理がなされるので説明を省略する。
次に、第１中継サーバＡの制御部１２２Ａは、第１中継サーバＡの管理者の操作により、第１クライアント端末Ａ２に対して、データ保存の指示を通知する（ステップＳ８２：Ｎｏｔｉｆｙ＿Ｃａｐｔｕｒｅ（ｃｌｉｅｎｔＡ２，ｆｏｌｄｅｒＡ））。
【０１６４】
その後、データ保存の指示を受けた第２クライアント端末Ａ２において、第１クライアント端末Ａ１との間で通信を行う必要性が生じたとする。すると、第２クライアント端末Ａ２は、第１中継サーバＡを介して第１クライアント端末Ａ１との間でデータ通信セッションを確立させる（ステップＳ８３〜８４）。この処理は、第１実施例のステップＳ４３〜４４と同様の処理がなされるので説明を省略する。
また、第１実施例のステップＳ４５〜ステップＳ４６と同様に、第２クライアント端末Ａ２は、第１クライアント端末Ａ１との間で、リモートファイル制御セッションを確立させる（ステップＳ８５〜８６）。なお、このセッションの確立は、ステップＳ８３〜ステップＳ８４におけるメディアセッションの確立と並行して行われてもよい。
【０１６５】
ステップＳ８７において、第２クライアント端末Ａ２の制御部２２２Ａ２は、第１実施例のステップＳ４７と同様に、第１クライアント端末Ａ１に対してファイル作成指示を通知する（ステップＳ８７：ｃｒｅａｔｅｆｉｌｅ（ｓｓｎ／ｃａｐｔｕｒｅ１．ｃａｐ））。第１クライアント端末Ａ１の制御部２２２Ａ１は、自端末に組み込まれたＯＳ（オペレーションシステム）を用いて、通信データ格納部２３３Ａ１内にｓｓｎ１というフォルダと、そのフォルダの中に「ｃａｐｔｕｒｅ１．ｃａｐ」というファイルを作成する。このとき、新規に作成されたファイルである「ｃａｐｔｕｒｅ１．ｃａｐ」は、オープン状態にある。
【０１６６】
次に、第２クライアント端末Ａ２は、第１クライアント端末Ａ１に対して、通信データの転送を開始する（ステップＳ８８：ｓｅｎｄ（ｄａｔａ））。通信データを受領した第１クライアント端末Ａ１は、第２クライアント端末Ａ２に対して、ｒｅｃｖ（ｄａｔａ）を送付することでデータの受領を通知する。
【０１６７】
続いて、第２クライアント端末Ａ２は、第１実施例のステップＳ４９と同様に、第１クライアント端末Ａ１に対して、ｗｒｉｔｅｆｉｌｅコマンドを、ステップＳ８８にて転送した通信データと一緒に通知する（ステップＳ８９：ｗｒｉｔｅｆｉｌｅ（ｄａｔａ））。ｗｒｉｔｅｆｉｌｅコマンドを受けた第１クライアント端末Ａ１は、ｃａｐｔｕｒｅ１．ｃａｐファイルの中に、通信データを書き込み格納する。
【０１６８】
その後、新たに第２クライアント端末Ａ２から第１クライアント端末Ａ１に対してデータを転送されると（ステップＳ９０：ｓｅｎｄ（ｄａｔａ））、第１クライアント端末Ａ１は、第２クライアント端末Ａ２に対して、ｒｅｃｖ（ｄａｔａ）を送付し、データの受領を通知する。そして、第２クライアント端末Ａ２は、第１クライアント端末Ａ１に対して、ｗｒｉｔｅｆｉｌｅコマンドを、新たに第１クライアント端末Ａ１に転送した通信データと一緒に送付する（ステップＳ９１：ｗｒｉｔｅｆｉｌｅ（ｄａｔａ））。ｗｒｉｔｅｆｉｌｅコマンドを受けた第１クライアント端末Ａ１は、ｃａｐｔｕｒｅ１．ｃａｐファイルの中に、受け取った通信データを書き込み格納する。
続くステップＳ９２〜Ｓ９３の処理は、第１実施例のステップＳ５２〜５３の処理と同様である。
以上の処理により、第２クライアント端末Ａ２から第１クライアント端末Ａ１に転送された通信データが、共通記憶領域であるｃａｐｔｕｒｅ１．ｃａｐファイルに保存される。
【０１６９】
このように本実施形態の中継通信システムでは、共有された中継サーバ情報およびリモートファイル制御情報を参照することにより、同一の中継サーバに接続されたクライアント端末間においても記憶領域を共有することができる。そして、データ転送を行う第２クライアント端末Ａ２の記憶領域が小さい場合であっても、第２クライアント端末Ａ２から転送された通信データを、第１クライアント端末Ａ１に設定された共有記憶領域に記憶させることができる。
【０１７０】
３．他の実施形態
以上、本発明の実施形態について説明したが、本発明は上記実施形態に限定されるものではなく、発明の要旨を逸脱しない範囲で種々の変更が可能である。
【０１７１】
（１）上記では、一つのリモートファイル制御情報が、一以上の中継サーバおよび一以上の中継サーバに接続された複数のクライアント端末において共有される例を挙げた。しかし、この例には限定されず、複数のリモートファイル制御情報が共有されてもよい。
【０１７２】
（２）データ保存の指示を受けたクライアント端末から転送される通信データだけでなく、そのクライアント端末に対して転送される通信データについても記憶領域に保存を行うことができる。
【０１７３】
（３）データ保存の指示は、自端末から行ってもよい。すなわち、上記の一実施形態の第１実施例では、第２中継サーバＢが、第３クライアント端末Ｂ１に対してデータ保存の指示を行う例を説明した（図１７、ステップＳ４２参照）。しかし、第３クライアント端末Ｂ１が、データ操作通知部を備え、ステップＳ４２のように他の端末からデータ保存の指示を受けることなく、自端末に対してデータ保存の指示を行ってもよい。
【０１７４】
（４）中継サーバのデータ操作通知部１２６は、データ保存の指示を行うだけではなく、さらに共通記憶領域内に新たにファイルを作成する指示、および／または共通記憶領域内にすでに作成されたファイルを操作する指示を、クライアント端末に通知することができる。
【０１７５】
例えば、上記の第１実施形態の第１実施例において、第２中継サーバＢのデータ操作通知部１２６Ｂは、データ保存の通知を行った第３クライアント端末Ｂ１に対し、ファイル作成指示および／またはファイル操作指示をさらに通知することができる。具体的には、データ操作通知部１２６Ｂは、データ保存を指示する場合と同様に、中継サーバ情報およびリモートファイル制御情報を参照し、第３クライアント端末Ｂ１に対し、共通記憶領域内に新たにファイルを作成する指示、および／または共通記憶領域内にすでに作成されたファイルの開封指示、編集指示を通知することができる。
【０１７６】
このとき、第３クライアント端末Ｂ１のファイル作成指示部２２５Ｂ１は、ファイル作成の指示を受領した場合であれば、第１クライアント端末Ａ１に対して、ステップＳ４６で確立されたリモートファイル制御セッションを介して、共通記憶領域内に新たにファイルを作成する依頼を通知する。続いて、ファイル作成依頼を受け取った第１クライアント端末Ａ１のファイル作成部２２６Ａ１は、自端末のＯＳ（オペレーションシステム）を用いて共通記憶領域内にファイルを作成する。
【０１７７】
一方、ファイルの開封指示および／または編集指示等のファイル操作の指示を受領した場合であれば、第３クライアント端末Ｂ１のデータ操作指示部２２７Ｂ１は、第１クライアント端末Ａ１に対して、ステップＳ４６で確立されたリモートファイル制御セッションを介して、ファイル操作の指示を行う。続いて、第１クライアント端末Ａ１のデータ操作部２２８Ａ１は、受け取った操作指示に基づき共通記憶領域内のファイルを操作する。
【０１７８】
なお、上記と同様に、中継サーバ情報およびリモートファイル制御情報を共有する中継サーバ及びクライアント端末であれば、第２中継サーバＢだけでなく、いずれの中継サーバまたはクライアント端末からでもファイル作成指示および／またはファイル操作指示を行うことができる。
【０１７９】
以上のように、共通記憶領域が設定された任意のクライアント端末が、共通記憶領域内のファイル作成および／またはファイル操作を代行して行う。従って、中継サーバ情報およびリモートファイル制御情報を共有する中継サーバ及びクライアント端末であれば、いずれの中継サーバおよびクライアント端末からでも、共通記憶領域にアクセスし、ファイルを作成し操作することが可能となる。
【産業上の利用可能性】
【０１８０】
本発明は、中継通信システムに用いられる一以上の中継サーバおよび複数のクライアント端末に広く適用できる。
【符号の説明】
【０１８１】
１      第１ＬＡＮ
２      第２ＬＡＮ
３      第３ＬＡＮ
４      ＷＡＮ
３０    中継サーバ情報
４０    クライアント端末情報
５０    クライアント端末情報
６０    クライアント端末情報
７０    リモートファイル制御情報
１２１  インターフェース
１２２  制御部
１２７  データベース格納部
２２１  インターフェース
２２２  制御部
２２９  データベース格納部
Ａ      第１中継サーバ
Ｂ      第２中継サーバ
Ｃ      第３中継サーバ
Ａ１    第１クライアント端末
Ａ２    第２クライアント端末
Ｂ１    第３クライアント端末
Ｃ１    第４クライアント端末
Ｃ２    第５クライアント端末
【図１】
0005476977.tif 000002
【図２】
0005476977.tif 000003
【図３】
0005476977.tif 000004
【図４】
0005476977.tif 000005
【図５】
0005476977.tif 000006
【図６】
0005476977.tif 000007
【図７】
0005476977.tif 000008
【図８】
0005476977.tif 000009
【図９】
0005476977.tif 000010
【図１０】
0005476977.tif 000011
【図１１】
0005476977.tif 000012
【図１２】
0005476977.tif 000013
【図１３】
0005476977.tif 000014
【図１４】
0005476977.tif 000015
【図１５】
0005476977.tif 000016
【図１６】
0005476977.tif 000017
【図１７】
0005476977.tif 000018
【図１８】
0005476977.tif 000019
【図１９】
0005476977.tif 000020
【図２０】
0005476977.tif 000021